(57)【要約】【課題】電気集塵機の洗浄用ノズルが異物により詰まることを抑制し、集塵部の洗浄の際に集塵部の洗浄効果を維持する。【解決手段】集塵部２の洗浄に用いられる洗浄パイプ３は、第１ノズル５および反対側に向かって配置された第２ノズル６を有し、第１ノズル５または第２ノズル６の少なくとも１つのノズル穴から噴出される液体が直接当たる衝突板９を集塵部２の上方に設けたことにより、異物によりノズルが詰まることを抑制し、集塵部の洗浄の際に集塵部の洗浄効果を維持できる電気集塵機を提供する。【選択図】図１
2017164721.tif 000002
【特許請求の範囲】
【請求項１】
ケーシングと、
前記ケーシング内に設けられた集塵部と、
前記集塵部の上方に設けられた洗浄パイプとを備えた電気集塵機であって、
前記洗浄パイプは、配管に接続可能であって、前記集塵部の洗浄に用いられるものであり、
前記洗浄パイプは、第１ノズルおよび第２ノズルを有し、
前記第１ノズルは、１つ以上の第１ノズル穴からなり、
前記第２ノズルは、前記第１ノズル穴とは反対側に向かって配置された１つ以上の第２ノズル穴からなり、
前記第１ノズルまたは前記第２ノズルの少なくとも１つのノズル穴から噴出される液体が直接当たる衝突板を前記集塵部の上方に設けたことを特徴とする電気集塵機。
【請求項２】
前記第１ノズル穴は、前記集塵部に形成される風路の上流側に向かって配置され、
前記第２ノズル穴は、前記集塵部に形成される風路の下流側に向かって配置されたことを特徴とする請求項１に記載の電気集塵機。
【請求項３】
前記衝突板は第１衝突板および第２衝突板からなり、
前記第１衝突板には、前記第１ノズルの少なくとも１つのノズル穴から噴出される液体が直接当たり、
前記第２衝突板には、前記第２ノズルの少なくとも１つのノズル穴から噴出される液体が直接当たることを特徴とする請求項２に記載の電気集塵機。
【請求項４】
前記集塵部の風路の上流に設けられた帯電部と、
前記洗浄パイプおよび前記衝突板を覆う洗浄ボックスと、
前記第１ノズルの少なくとも１つのノズル穴から噴出される液体が直接当たる第３衝突板とを有し、
前記洗浄ボックスは、下面が開口し、上面、側面、前面、後面からなり、
上流側である前記前面と前記洗浄パイプとの距離は、下流側である前記後面と前記洗浄パイプとの距離よりも小さく、
前記第３衝突板は前記帯電部の上方に配置されたことを特徴とする請求項２または３に記載の電気集塵機。
【請求項５】
前記集塵部の風路の上流に設けられた帯電部と、
前記洗浄パイプおよび前記衝突板を覆う洗浄ボックスとを有し、
前記洗浄ボックスは、下面が開口し、上面、側面、前面、後面からなり、
前記前面を前記帯電部の直上に配置し、
前記第１ノズルの少なくとも１つのノズル穴から噴出される液体が前記前面に直接当たることを特徴とする請求項２〜４の何れか１項に記載の電気集塵機。
【請求項６】
前記集塵部は互いに平行な複数の極板から構成され、
前記複数の極板の内、一方の端にある極板を一端極板、他方の端にある極板を他端極板とし、
前記一端極板と前記他端極板との中心を通る面であって、前記複数の極板と平行な面を中心面とし、
前記１つ以上の第１ノズル穴は前記中心面に対して面対称に配置され、
前記１つ以上の第２ノズル穴は前記中心面に対して面対称に配置されたことを特徴とする請求項２〜５の何れか１項に記載の電気集塵機。
【請求項７】
前記洗浄パイプは、前記集塵部に形成される風路の通風方向に長くなるように設けられ、
前記第１ノズル穴および前記第２ノズル穴は、前記洗浄パイプを長くした方向と垂直な方向に向かって配置されたことを特徴とする請求項１に記載の電気集塵機。
【請求項８】
前記第１ノズル穴の直径および前記第２ノズル穴の直径は２〜１０ｍｍであることを特徴とする請求項１〜７の何れか１項に記載の電気集塵機。
【請求項９】
前記洗浄パイプおよび前記衝突板を覆う洗浄ボックスを有し、
前記洗浄ボックスは、下面が開口し、上面、側面、前面、後面からなり、
前記衝突板は、固定部と衝突部と曲げ部とからなり、
前記固定部を介して、前記衝突板は前記洗浄ボックスに固定され、
前記衝突部に、前記第１ノズルまたは前記第２ノズルの少なくとも１つのノズル穴から噴出される液体が直接当たり、
前記衝突板の下部において、前記曲げ部は前記洗浄パイプ側に曲がる形状となることを特徴とする請求項１〜８の何れか１項に記載の電気集塵機。
【請求項１０】
前記衝突部は鉛直方向に形成されたことを特徴とする請求項９に記載の電気集塵機。
【請求項１１】
前記衝突部は前記液体の噴出方向に沿って斜め上に傾いて形成されたことを特徴とする請求項９に記載の電気集塵機。
【請求項１２】
前記衝突板は衝突板Ａおよび衝突板Ｂを含み、
前記第１ノズルは第１ノズル穴Ａおよび第１ノズル穴Ｂを含む２つ以上の第１ノズル穴からなり、
前記衝突板Ａには前記第１ノズル穴Ａから噴出される液体が直接当たり、
前記衝突板Ｂには前記第１ノズル穴Ｂから噴出される液体が直接当たり、
前記衝突板Ａと前記洗浄パイプとの距離は、前記衝突板Ｂと前記洗浄パイプとの距離と異なることを特徴とする請求項１〜１１の何れか１項に記載の電気集塵機。
【発明の詳細な説明】
【技術分野】
【０００１】
本発明は、洗浄手段を備えた電気集塵機等に関するものである。
【背景技術】
【０００２】
従来、この種の電気集塵機は、粉塵を捕集した集塵部に対して洗浄を行うためにノズルによる噴霧型洗浄手段を設けられたものが知られている（例えば、特許文献１参照）。
【０００３】
以下、その電気集塵機について説明する。
【０００４】
電気集塵機は、粉塵などの浮遊粒子を帯電させる帯電部と帯電部で帯電された浮遊粒子を吸着して捕集する集塵部で構成されている。
【０００５】
帯電部および集塵部の上部には、極板と直交する向きに水などの洗浄液を噴射する噴射管を設ける。この噴射管には複数個のスプレーノズルを配置する。洗浄液はこのスプレーノズルから噴射される。
【０００６】
装置下部には、洗浄液を貯める貯水槽が設けられている。この貯水槽には配管を接続し、ポンプを介して配管を流れる流体を制御するバルブに接続されており、その後、噴射管に接続される構造としている。
【先行技術文献】
【特許文献】
【０００７】
【特許文献１】特開２００９−２４８０５６号公報（図１）
【発明の概要】
【発明が解決しようとする課題】
【０００８】
このような従来の電気集塵機においては、集塵部に付着した捕集物の洗浄手段として、水を霧状に散布するスプレーノズルが用いられてきた。しかし、一般的な洗浄用のスプレーノズルの開口は、例えば開口直径が１ｍｍ以下の小さいものを使用する必要があるため、洗浄用水の水質によっては鉱物析出によるスケール発生や、水の中に砂などの異物が混入することでノズルの先端開口が詰まってしまい、経年によって水の噴霧が困難になってしまうという課題を有していた。
【０００９】
そこで本発明は、上記従来の課題を解決するものであり、洗浄用ノズルが異物により詰まることを抑制しつつ、集塵部の洗浄の際に集塵部の洗浄効果を維持できる電気集塵機を提供することを目的とする。
【課題を解決するための手段】
【００１０】
そして、この目的を達成するために、本発明の一態様に係る電気集塵機は、洗浄パイプの少なくとも１つのノズル穴から噴出される液体が直接当たる衝突板を集塵部の上方に設けたことを特徴としたものであり、これにより所期の目的を達成するものである。
【発明の効果】
【００１１】
本発明によれば、洗浄パイプのノズル穴が詰まることを抑制しつつ、集塵部の洗浄機能を維持できる電気集塵機を提供できる。
【図面の簡単な説明】
【００１２】
【図１】本発明の実施の形態１の電気集塵機の構成を示す上面図
【図２】同電気集塵機の洗浄部分の構成を示す斜視図
【図３】同電気集塵機の洗浄部分の構成を示す斜視図
【図４】同電気集塵機の洗浄パイプを示す斜視図
【図５】同電気集塵機の構成を示す全体斜視図
【図６】同電気集塵機の集塵部と帯電部の構成を示す上断面図
【図７】同電気集塵機の帯電部の構成を示す部分詳細図
【図８】同電気集塵機の集塵部と洗浄部分の構成を示す正面側断面図
【図９】同電気集塵機の衝突板を示す斜視図
【図１０】同電気集塵機の洗浄液体の衝突時の状態を示す上面模式図
【発明を実施するための形態】
【００１３】
本発明の一態様に係る電気集塵機は、ケーシングと、前記ケーシング内に設けられた集塵部と、前記集塵部の上方に設けられた洗浄パイプとを備えた電気集塵機であって、前記洗浄パイプは、配管に接続可能であって、前記集塵部の洗浄に用いられるものであり、前記洗浄パイプは、第１ノズルおよび第２ノズルを有し、前記第１ノズルは、１つ以上の第１ノズル穴からなり、前記第２ノズルは、前記第１ノズル穴とは反対側に向かって配置された１つ以上の第２ノズル穴からなり、前記第１ノズルまたは前記第２ノズルの少なくとも１つのノズル穴から噴出される液体が直接当たる衝突板を前記集塵部の上方に設けたという構成を有する。
【００１４】
これにより、洗浄パイプの第１ノズル穴もしくは第２ノズル穴から噴射された液体は、衝突板に衝突し、破砕されながら反射されて、集塵部の広範囲に当てられる。この液体により集塵部が洗浄されるので、スプレーノズルのような細かな先端開口を使用せずに、洗浄対象の広範囲に液体を散布することができ、経年による開口詰まりを抑制して洗浄機能を維持することができる。
【００１５】
以下、本発明の実施の形態について図面を参照しながら説明する。
【００１６】
（実施の形態１）
図１から図３に示すように、電気集塵機は集塵部２と帯電部１５をケーシング１で覆う構成としている。
【００１７】
集塵部２の上方には、洗浄ボックス１６を備えている。洗浄ボックス１６は下面が開口し、上面１８、側面１９、前面２０、後面２１の複数壁面で構成される。風路の上流側の壁面が前面２０であり、風路の下流側の壁面が後面２１である。
【００１８】
洗浄ボックス１６内には、洗浄ボックス１６の壁面を貫通して配管４に接続可能な洗浄パイプ３と、洗浄ボックス１６のいずれかの壁面に固定された衝突板９が設けられる。
【００１９】
配管４は水配管または液体配管であり、集塵部２の洗浄に用いられるものである。
【００２０】
洗浄パイプ３は第１ノズル５および第２ノズル６を有している。
【００２１】
第１ノズル５は、１つ以上の第１ノズル穴７からなり、第２ノズル６は、第１ノズル穴７とは反対側に向かって配置された１つ以上の第２ノズル穴８からなる。
【００２２】
第１ノズル５もしくは第２ノズル６は、例えば水平方向に配置されており、洗浄用の液体１０（図１０）を第１ノズル５もしくは第２ノズル６から噴出する際に、偏った噴出をさせない構成としている。
【００２３】
第１衝突板１３および第２衝突板１４からなる衝突板９は集塵部２の上方に設けられる。
【００２４】
図３および図４に示すように、第１衝突板１３は、第１ノズル５の少なくとも１つの第１ノズル穴７から噴出される液体１０が直接当たる位置に設けられる。
【００２５】
第２衝突板１４は、第２ノズル６の少なくとも１つの第２ノズル穴８から噴出される液体１０が直接当たる位置に設けられる。
【００２６】
洗浄パイプ３の第１ノズル穴７もしくは第２ノズル穴８から噴射された液体１０が衝突板９に衝突し、破砕されながら反射される。液体１０の反射により、洗浄ユニット１１（衝突板９および洗浄パイプ３からなるユニット）の下方に位置する集塵部２を広範囲に洗浄できる。このため、スプレーノズルの細かな先端開口を使用せずに、洗浄対象に広範囲に液体１０を散布することができる。このため、経年による開口詰まりを抑制して洗浄機能を維持することができる。
【００２７】
なお、第１衝突板１３および第２衝突板１４は必ずしも両方必要ではなく、少なくともどちらか一方あればよい。
【００２８】
なお、ケーシング１は、内部を貫通する風路を有しており、集塵部２と帯電部１５はその風路の一部を形成している。ケーシング１の外部風の導入口には、大きな異物の侵入を防ぐために、プレフィルタ３６が設置されるとよい。
【００２９】
図５に電気集塵機の構成を示す全体斜視図を示しておく。
【００３０】
図６から図８に示すように、集塵部２を構成する複数の極板１２は支持シャフト３３に通されたスペーサー３４によって一定間隔を保って平行に配置されている。帯電部１５では帯電極２２と極板１２が交互に一定間隔を保って平行に配置されている。帯電極２２にはコロナ放電を起こして通過体を帯電させるために、例えば放電線やトゲ状の極板等が用いられる。帯電極に放電線が用いられる場合は、帯電極支持部にバネを用いて一定の張力を持たせるのが好ましい。
【００３１】
図６および図７の帯電部１５は集塵部２の一部の極板１２が延長された極板延長部３５を帯電部１５の一部になるように構成しているが、集塵部２から独立した極板１２を平行に配置してもよい。それぞれの極板１２は頻繁に洗浄されるため、例えばステンレス材やアルマイト処理されたアルミニウムなどの材質等を用いるのが望ましい。
【００３２】
また、図３等に示すように、洗浄ボックス１６の前面２０と洗浄パイプ３との距離は、洗浄ボックス１６の後面２１と洗浄パイプ３との距離よりも小さくなっていてもよい。これにより、第１ノズル５側の洗浄範囲が第２ノズル６側よりも小さくなるため、洗浄ボックス１６の前面２０側において、単位面積当たりの液体流量を後面２１側よりも増加させることができる。このため、洗浄ボックス１６の前面側を後面側よりも集中的に洗浄することができる。
【００３３】
また、洗浄ボックス１６の前面２０は図３等とは異なり、図３等の状態よりもさらに上流側に配置してもよい。そして、図示していない第３衝突板を帯電部１５の上方に別途設け、第３衝突板に第１ノズル５の少なくとも１つの第１ノズル穴７から噴出される液体１０が直接当たるようにしてもよい。これにより、前面２０側の洗浄をさらに強化させることができる。
【００３４】
また、図３および図４に示すように、衝突板９は衝突板Ａ２９および衝突板Ｂ３０を含んでいてもよい。そして、第１ノズル５は第１ノズル穴Ａ３１および第１ノズル穴Ｂ３２を含む２つ以上の第１ノズル穴７からなる。衝突板Ａ２９には第１ノズル穴Ａ３１から噴出される液体１０が直接当たる。衝突板Ｂ３０には第１ノズル穴Ｂ３２から噴出される液体１０が直接当たる。図面とは異なり、衝突板Ａ２９と洗浄パイプ３との距離は、衝突板Ｂ３０と洗浄パイプ３との距離と異なる。このような配置にしてもよい。
【００３５】
このような構成によれば、帯電部１５もしくは集塵部２の洗浄を集中させたい箇所近傍にそれぞれ衝突板Ａ２９と衝突板Ｂ３０を配置することで、衝突板９の下方に洗浄の液体１０が集中して流れる。このため、汚れやすく集中して洗浄したい場所に意図的に液体流量を増加できるので、非洗浄部分をさらに減少させることができる。
【００３６】
また、図３および図４に示すように、衝突板９は衝突板Ｃ４３および衝突板Ｄ４４を含んでいてもよい。そして、第２ノズル６は第２ノズル穴Ｃ４１および第２ノズル穴Ｄ４２を含む２つ以上の第２ノズル穴８からなる。衝突板Ｃ４３には第２ノズル穴Ｃ４１から噴出される液体１０が直接当たる。衝突板Ｄ４４には第２ノズル穴Ｄ４２から噴出される液体１０が直接当たる。衝突板Ｃ４３と洗浄パイプ３との距離は、衝突板Ｄ４４と洗浄パイプ３との距離と異なる。このような配置にしてもよい。
【００３７】
このような構成によれば、集塵部２の洗浄を集中させたい箇所近傍にそれぞれ衝突板Ｃ４３と衝突板Ｄ４４を配置することで、衝突板９の下方に洗浄の液体１０が集中して流れる。このため、汚れやすく集中して洗浄したい場所に意図的に液体流量を増加できるので、非洗浄部分をさらに減少させることができる。
【００３８】
また、図６に示すように、複数の極板１２の内、一方の端にある極板を一端極板２３、他方の端にある極板を他端極板２４とする。そして、一端極板２３と他端極板２４との中心を通る面であって、複数の極板１２と平行な面を中心面２５とする。この場合、１つ以上の第１ノズル穴７は中心面２５に対して面対称に配置するという構成にしてもよい。また、１つ以上の第２ノズル穴８は中心面２５に対して面対称に配置するという構成にしてもよい。
【００３９】
このような構成によれば、液体が衝突して飛散した際に部分的な偏りを抑えて下方へ噴霧されるので、集中的に洗いたい部分を洗浄しつつも全体をより広範囲に洗浄できる。なお、この場合、第１ノズル穴７或いは第２ノズル穴８は、１つであってもよい。第１ノズル穴７或いは第２ノズル穴８が１つの場合は、接続された配管の水圧が低くても、衝突板９への衝突速度を確保しやすく、反射による広域の洗浄を行いやすい。一方、第１ノズル穴７或いは第２ノズル穴８が複数であった場合は、単純な衝突板９への反射ではカバーできない箇所への洗浄も可能となる。
【００４０】
また、図８等に示すように、洗浄ボックス１６の前面２０を帯電部１５の直上或いは帯電極２２の直上に配置してもよい。そして、第１ノズル５の少なくとも１つの第１ノズル穴７から噴出される液体１０が前面２０に直接当てる構成にしてもよい。
【００４１】
このような構成によれば、洗浄ボックス１６のサイズを小型化させながらも、帯電極２２を狙った洗浄が可能となる。また、風路を流れる風が集塵部２を通らずに、集塵部２の上方から下流側に抜けて行くようなルートを前面２０により抑えることができるため、集塵性能を向上できる。
【００４２】
なお、帯電部１５の直上は、液体１０が前面２０に衝突した際に、直下にある帯電極２２に液体１０を安定して供給できる位置を想定している。このため、帯電部１５の直上とは、帯電部１５の帯電極２２を基準にして、空気が流れる方向において例えば±２０ｍｍ程度以内の範囲とする。
【００４３】
また、図９に示すように、衝突板９は、固定部２６と衝突部２７と曲げ部２８とからなるという構成にしてもよい。そして、固定部２６を介して、衝突板９は洗浄ボックス１６に固定される。衝突部２７に、第１ノズル５または第２ノズル６の少なくとも１つの第１ノズル穴７もしくは第２ノズル穴８から噴出される液体１０が直接当たる。衝突板９の下部において、曲げ部２８は第１ノズル５または第２ノズル６側に曲がる形状としてもよい。
【００４４】
このような構成によれば、第１ノズル５もしくは第２ノズル６から噴射された液体１０が衝突部２７に衝突した際に、放射状に広がる液体の中で下方に向かう液体１０は、更に曲げ部に衝突することによって、２次的に角度を変えて衝突反射する。このため、より広域に噴霧して集塵部２に対してより広範囲に液体１０を噴霧できる。
【００４５】
また、図９の衝突部２７は、鉛直方向に形成してもよい。
【００４６】
このような構成によれば、ノズルから噴出された液体１０は衝突部２７へ正面から衝突するため、図１０（ａ）のように、ノズルから噴出する液体１０の進行方向と反対側へ反射される液体１０の量が多くなる。このため、衝突板９が第１ノズル穴７もしくは第２ノズル穴８からより遠くに配置された場合に、液体１０をより広範囲に反射させて洗浄できる。
【００４７】
また、図９とは異なり、衝突部２７は液体１０の噴出方向に沿って斜め上に傾いて形成してもよい。
【００４８】
このような構成によれば、図１０（ｂ）のように、第１ノズル５もしくは第２ノズル６から噴出された液体１０が衝突部２７へ衝突する際に斜面に衝突するため、第１ノズル５もしくは第２ノズル６から噴出された液体１０は衝突板９後方へ流されながら拡散する。このため、衝突板９が第１ノズル５もしくは第２ノズル６の近くに配置された時に衝突板９の後方をより広範囲にわたって洗浄することができる。
【００４９】
また、洗浄パイプ３を風路に垂直になるように配置し、風路の上流側に第１ノズル穴７、下流側に第２ノズル穴８となるように配置した。しかし、図面で示した構造とは異なり、洗浄パイプ３を集塵部２に形成される風路の通風方向に長くなるように設け、第１ノズル穴７および第２ノズル穴８は、洗浄パイプ３を長くした方向と垂直な方向に向かって配置してもよい。
【００５０】
これにより、洗浄ボックス１６が配置される面において、配管４の接続口の取り回しや例えば端子台などの設置のために洗浄パイプ３が配置できない、などの機器配置の制約を軽減でき、有効なスペースを利用できる。このため、本体形状の影響を受けにくくノズルの噴射と衝突による洗浄方法を採用できる。本構成によれば、図面で示した構造と同様の作用効果を得ることができる。
【００５１】
また、第１ノズル穴７の直径および第２ノズル穴８の直径は２〜１０ｍｍとするのが好ましい。ノズル穴の直径が２ｍｍ以上であれば、配管４より流れてきた例えば砂などの約１ｍｍ程度の粒径の異物は第１ノズル穴７もしくは第２ノズル穴８を通過できる。或いは、洗浄パイプ３の中で成長した鉱物由来のスケールが脱落して、直径１ｍｍを超える程度のサイズとなっても第１ノズル穴７もしくは第２ノズル穴８を通過できる。一方、ノズル穴の直径が１０ｍｍ以下であれば、噴射に必要な水圧を必要以上に高くする必要がなくなり、洗浄に必要な水量が抑えられる。また、液体１０の噴射に耐えうる衝突板の強度を確保しやすくなる。
【００５２】
以下、実施の形態について、補足する。
【００５３】
本発明の一態様に係る電気集塵機は、ケーシング１と、前記ケーシング１内に設けられた集塵部２と、前記集塵部２の上方に設けられた洗浄パイプ３とを備えた電気集塵機であって、前記洗浄パイプ３は、配管４に接続可能であって、前記集塵部２の洗浄に用いられるものであり、前記洗浄パイプ３は、第１ノズル５および第２ノズル６を有し、前記第１ノズル５は、１つ以上の第１ノズル穴７からなり、前記第２ノズル６は、前記第１ノズル穴７とは反対側に向かって配置された１つ以上の第２ノズル穴８からなり、前記第１ノズル５または前記第２ノズル６の少なくとも１つのノズル穴（第１ノズル穴７もしくは第２ノズル穴８）から噴出される液体１０が直接当たる衝突板９を前記集塵部２の上方に設けるという構成を有する。
【００５４】
これにより、洗浄パイプ３の第１ノズル穴７もしくは第２ノズル穴８から噴射された液体１０は、衝突板９に衝突し、破砕されながら反射されて、洗浄ユニット（衝突板および洗浄パイプからなるユニット）の下方に位置する集塵部２の広範囲に当てられる。この液体１０により集塵部２が洗浄されるので、スプレーノズルの細かな先端開口を使用せずに、洗浄対象に広範囲に液体１０を散布することができる。このため、経年による開口詰まりを気にすることなく洗浄機能を維持することができる。
【００５５】
また、前記第１ノズル穴７は、前記集塵部２に形成される風路の上流側に向かって配置され、前記第２ノズル穴８は、前記集塵部２に形成される風路の下流側に向かって配置する構成にしてもよい。
【００５６】
これにより、洗浄パイプ３の第１ノズル穴７もしくは第２ノズル穴８から噴射された液体１０が衝突板９に衝突して反射されたときに、平行に並んだ各々の極板１２間の隙間に対して横断するように液体１０が噴霧される。このため、洗浄したい部分に対してを更に広範囲に液体１０を噴霧させることができる。このため、さらに効果的な洗浄ができ、経年に対する洗浄機能を維持する価値がより高められる。
【００５７】
また、前記衝突板９は第１衝突板１３および第２衝突板１４からなり、前記第１衝突板１３には、前記第１ノズル５の少なくとも１つのノズル穴（第１ノズル穴７）から噴出される液体１０が直接当たり、前記第２衝突板１４には、前記第２ノズル６の少なくとも１つのノズル穴（第２ノズル穴８）から噴出される液体１０が直接当たる構成にしてもよい。
【００５８】
これにより、衝突板９の配置によって反射飛散する面が多段化するため、洗浄範囲を広げる効果がある。衝突板９の配置によってノズルから噴出される液体１０を意図する箇所へ導くことが可能となるので、汚れやすい箇所に対して集中的に洗浄を行うことができ、経年に対する洗浄機能を維持する価値がより高められる。
【００５９】
また、前記集塵部２の風路の上流に設けられた帯電部１５と、前記洗浄パイプ３および前記衝突板９を覆う洗浄ボックス１６と、前記第１ノズル５の少なくとも１つのノズル穴（第１ノズル穴７）から噴出される液体１０が直接当たる第３衝突板（不図示）とを有し、前記洗浄ボックス１６は、下面が開口し、上面１８、側面１９、前面２０、後面２１からなり、上流側である前記前面２０と前記洗浄パイプ３との距離は、下流側である前記後面２１と前記洗浄パイプ３との距離よりも小さく、前記第３衝突板は前記帯電部１５の上方に配置された構成にしてもよい。
【００６０】
これにより、帯電部１５の帯電極２２を集中して洗浄しつつ、集塵部２の広範囲を洗浄することができるので、帯電機能発揮させるための重要な素子を集中的に効果的な洗浄を行うことができ、経年に対する洗浄機能を維持する価値がより高められる。
【００６１】
なお、洗浄ボックス１６内に第３衝突板（不図示）を設けるためには、洗浄ボックス１６の前面２０は図面の状態よりもさらに上流側に配置されることになる。
【００６２】
また、前記集塵部２の風路の上流に設けられた帯電部１５と、前記洗浄パイプ３および前記衝突板９を覆う洗浄ボックス１６とを有し、前記洗浄ボックス１６は、下面が開口し、上面１８、側面１９、前面２０、後面２１からなり、前記前面２０を前記帯電部１５の直上に配置し、前記第１ノズル５の少なくとも１つのノズル穴から噴出される液体１０が前記前面２０に直接当たる構成にしてもよい。
【００６３】
これにより、洗浄ボックス１６のサイズを小型化させつつも、帯電極２２を狙った効果的な洗浄が可能となる。また、風路を流れる風が集塵部２を通らずに下流へ抜けて行くような経路を前面２０により減少させることができるため、集塵性能を高めることもできる。
【００６４】
また、前記集塵部２は互いに平行な複数の極板１２から構成され、前記複数の極板１２の内、一方の端にある極板を一端極板２３、他方の端にある極板を他端極板２４とし、前記一端極板２３と前記他端極板２４との中心を通る面であって、前記複数の極板１２と平行な面を中心面２５とし、前記１つ以上の第１ノズル穴７は前記中心面２５に対して面対称に配置され、前記１つ以上の第２ノズル穴８は前記中心面２５に対して面対称に配置される構成にしてもよい。
【００６５】
これにより、液体が衝突板に衝突して飛散した際に部分的な集中や偏りが少なく噴霧される。このため、集中的に洗いたい部分を洗浄しつつも全体をより広範囲に洗浄できるため、経年に対する洗浄機能を維持する価値がより高められる。
【００６６】
また、前記洗浄パイプ３は、前記集塵部２に形成される風路の通風方向に長くなるように設けられ、前記第１ノズル穴７および前記第２ノズル穴８は、前記洗浄パイプ３を長くした方向と垂直な方向に向かって配置される構成にしてもよい。
【００６７】
これにより、機器配置の制約を軽減でき有効なスペースを利用でき、電気集塵機の本体形状の影響を受けにくくできる。すなわち、風路の流れる方向に電気集塵機のサイズは長くなるが、風路の流れる方向に垂直な方向においては電気集塵機のサイズは短くすることができるので、幅が狭い場所にも設置することができる。このような構成にしても実施の形態で述べたものと同様の効果を得ることは可能である。
【００６８】
また、前記第１ノズル穴７の直径および前記第２ノズル穴８の直径は２〜１０ｍｍである構成にしてもよい。
【００６９】
これにより、第１ノズル穴７もしくは第２ノズル穴８を通過する異物が直径１ｍｍを超える程度のサイズとなっても、第１ノズル穴７もしくは第２ノズル穴８を通過することができるので、経年による開口詰まりを気にすることなく洗浄機能を維持することが出来るという効果を奏する。
【００７０】
また、前記洗浄パイプ３および前記衝突板９を覆う洗浄ボックス１６を有し、前記洗浄ボックス１６は、下面が開口し、上面１８、側面１９、前面２０、後面２１からなり、前記衝突板９は、固定部２６と衝突部２７と曲げ部２８とからなり、前記固定部２６を介して、前記衝突板９は前記洗浄ボックス１６に固定され、前記衝突部２７に、前記第１ノズル５または前記第２ノズル６の少なくとも１つのノズル穴（第１ノズル穴７もしくは第２ノズル穴８）から噴出される液体１０が直接当たり、前記衝突板９の下部において、前記曲げ部２８は前記洗浄パイプ側（前記第１ノズル５側もしくは第２ノズル６側）に曲がる形状となる構成にしてもよい。
【００７１】
これにより、衝突板９の衝突部２７に衝突して下方に向かう液体１０の一部は、曲げ部２８で２次的に衝突反射してより広域に噴霧される。このため、より広範囲に液体１０を噴霧でき、経年に対する洗浄機能を維持する価値がより高められる。
【００７２】
また、前記衝突部２７は鉛直方向に形成される構成にしてもよい。
【００７３】
これにより、液体１０が噴流として衝突部２７へ衝突する際に、反射される成分を多くできる。このため、衝突板９が第１ノズル５もしくは第２ノズル６から遠くに配置されたときでも、より広範囲に集塵部などを洗浄できる。
【００７４】
また、前記衝突部２７は前記液体１０の噴出方向に沿って斜め上に傾いて形成される構成にしてもよい。
【００７５】
これにより、液体１０が噴流として衝突部２７へ衝突する際に、第１ノズル５もしくは第２ノズル６から噴射される方向へ流されながら液体１０が拡散することができる。このため、衝突板９が第１ノズル５もしくは第２ノズル６の近くに配置されたときでも、より広範囲に集塵部などを洗浄できる。
【００７６】
また、前記衝突板９は衝突板Ａ２９および衝突板Ｂ３０を含み、前記第１ノズル５は第１ノズル穴Ａ３１および第１ノズル穴Ｂ３２を含む２つ以上の第１ノズル穴７からなり、前記衝突板Ａ２９には前記第１ノズル穴Ａ３１から噴出される液体１０が直接当たり、前記衝突板Ｂ３０には前記第１ノズル穴Ｂ３２から噴出される液体１０が直接当たり、前記衝突板Ａ２９と前記洗浄パイプ３との距離は、前記衝突板Ｂ３０と前記洗浄パイプ３との距離と異なるという構成にしてもよい。
【００７７】
これにより、構造上洗浄を集中させたい箇所に洗浄を集中させることができるので、経年に対する洗浄機能を維持する価値がより高められる。
【産業上の利用可能性】
【００７８】
本発明に係る電気集塵機は、長期使用における洗浄機能の維持を可能とするものであるので、頻繁にメンテナンスができないが、長い間使用できることを要求される設備型機器として使用される電気集塵機などとして有用である。
【符号の説明】
【００７９】
１    ケーシング
２    集塵部
３    洗浄パイプ
４    配管
５    第１ノズル
６    第２ノズル
７    第１ノズル穴
８    第２ノズル穴
９    衝突板
１０    液体
１１    洗浄ユニット
１２    極板
１３    第１衝突板
１４    第２衝突板
１５    帯電部
１６    洗浄ボックス
１８    上面
１９    側面
２０    前面
２１    後面
２２    帯電極
２３    一端極板
２４    他端極板
２５    中心面
２６    固定部
２７    衝突部
２８    曲げ部
２９    衝突板Ａ
３０    衝突板Ｂ
３１    第１ノズル穴Ａ
３２    第１ノズル穴Ｂ
３３    支持シャフト
３４    スペーサー
３５    極板延長部
３６    プレフィルタ
４１    第２ノズル穴Ｃ
４２    第２ノズル穴Ｄ
４３    衝突板Ｃ
４４    衝突板Ｄ
【図１】
2017164721.tif 000003
【図２】
2017164721.tif 000004
【図３】
2017164721.tif 000005
【図４】
2017164721.tif 000006
【図５】
2017164721.tif 000007
【図６】
2017164721.tif 000008
【図７】
2017164721.tif 000009
【図８】
2017164721.tif 000010
【図９】
2017164721.tif 000011
【図１０】
2017164721.tif 000012